(57)【特許請求の範囲】
【請求項１】
前面および下面が開口する本体枠と、
前記本体枠の天井部に設けられ、前端が開口する幕板取付孔と、
前記本体枠の上方に設けられ、前記幕板取付孔内に前端から挿入されるねじ部材が螺合された幕板と、
前記本体枠に取着され、前記本体枠の前面および前記幕板取付孔の前端を覆う前面パネルと、
前記前面パネルを前記幕板取付孔の前端が開放されるように下方に移動することにより前記本体枠に仮保持する仮保持部材と
を備えたことを特徴とするレンジフードファン。
【請求項２】
前面パネルには、第１の係合孔および第２の係合孔が設けられ、
本体枠には、前記第１の係合孔の内面を下方から支えることに基づいて前記前面パネルを仮保持する仮保持部材と、前記前面パネルが仮保持状態から上昇操作されることに基づいて前記第２の係合孔の下縁部を前記本体枠側へ引付ける切起し片とが設けられていることを特徴とする請求項１記載のレンジフードファン。
【請求項３】
本体枠の天井部前辺部には、該天井部の天井板とで断面Ｌ字状をなすフランジ部を有し、
幕板取付孔が該フランジ部にかけて連続して形成され、
仮保持部材は、前面パネルの上面を幕板取付孔の前端下方の内面と略同一高さに仮保持することを特徴とする請求項１記載のレンジフードファン。
【請求項４】
前面パネルの上面は、本体枠から前方へ向かうに従って下降する傾斜面状をなしていることを特徴とする請求項１記載のレンジフードファン。
【発明の詳細な説明】
【０００１】
【発明の属する技術分野】
本発明は、本体枠に前面パネルおよび幕板を別途組付ける構成のレンジフードファンに関する。
【０００２】
【発明が解決しようとする課題】
上記レンジフードファンには、図８に示すように、本体枠１の前面に前面パネル２を組付け、本体枠１の上面に幕板３を組付ける構成のものがある。この構成の場合、本体枠１をガスコンロ等の上方に設置した後、前面パネル２の除去状態で本体枠１内を覗き込み、幕板３の両ねじ孔４を本体枠１の両ねじ挿入孔に位置合わせする困難な高所作業を行う必要がある。このため、床面等に置いた前面パネル２を逐一持ち上げねばならないばかりか、幕板３の組付作業が困難である。
【０００３】
本発明は上記事情に鑑みてなされたものであり、その目的は、前面パネルを逐一取り外すことなく幕板を本体枠の天井部に取り付け得、総じて、幕板の組付作業性が良好なレンジフードファンを提供することにある。
【０００４】
【課題を解決するための手段】
請求項１記載のレンジフードファンは、前面および下面が開口する本体枠と、前記本体枠の天井部に設けられ前端が開口する幕板取付孔と、前記本体枠の上方に設けられ前記幕板取付孔内に前端から挿入されるねじ部材が螺合された幕板と、前記本体枠に取着され前記本体枠の前面および前記幕板取付孔の前端を覆う前面パネルと、前記前面パネルを前記幕板取付孔の前端が開放されるように下方に移動することにより前記本体枠に仮保持する仮保持部材とを備えたところに特徴を有している。
上記手段によれば、前面パネルを本体枠に仮保持した状態で幕板のねじ部材を幕板取付孔内に前端から挿入することができるので、前面パネルを逐一取り外す必要がなくなる。しかも、本体枠の内部を覗き込んで幕板のねじ孔を本体枠のねじ挿入孔に合わせる高所での困難な作業を行う必要がなくなるので、幕板の組付作業性が向上する。
【０００５】
請求項２記載のレンジフードファンは、第１の係合孔および第２の係合孔が前面パネルに設けられ、前記第１の係合孔の内面を下方から支えることに基づいて前記前面パネルを仮保持する仮保持部材と、前記前面パネルが仮保持状態から上昇操作されることに基づいて前記第２の係合孔の下縁部を前記本体枠側へ引付ける切起し片とが本体枠に設けられているところに特徴を有している。
上記手段によれば、前面パネルを仮保持状態から上昇操作すると、前面パネルの第２の係合孔の下縁部が本体枠の切起し片によって本体枠側へ引付けられるので、前面パネルの本体枠に対する密着性が高まる。
【０００６】
請求項３記載のレンジフードファンは、本体枠の天井部前辺部に該天井部の天井板とで断面Ｌ字状をなすフランジ部を有し、幕板取付孔が該フランジ部にかけて連続して形成され、仮保持部材が前面パネルの上面を幕板取付孔の前端下方の内面と略同一高さに仮保持するところに特徴を有している。
上記手段によれば、幕板のねじ部材を前面パネルの上面に沿って幕板取付孔内に挿入できる。このため、ねじ部材が挿入時に幕板取付孔の前端下方の内面に引掛かることが防止されるので、幕板の組付作業性が一層向上する。
【０００７】
請求項４記載のレンジフードファンは、前面パネルの上面が本体枠から前方へ向かうに従って下降する傾斜面状をなしているところに特徴を有している。
上記手段によれば、前面パネルの仮保持状態で幕板取付孔の前端を下方から目視することができる。このため、幕板のねじ部材を幕板取付孔の前端に容易に位置合せして挿入できるので、幕板の組付作業性が一層向上する。
【０００８】
【発明の実施の形態】
以下、本発明の第１実施例を図１ないし図５に基づいて説明する。まず、図５において、台所１１の床面には室壁１２に沿って調理台１３が配設されており、調理台１３の上面にはガスコンロ１４が載置されている。
【０００９】
室壁１２にはガスコンロ１４の上方に位置して金属製の本体枠１５が取付けられている。この本体枠１５は、図４に示すように、天井部たる天井板１６と後板１７と左側板１８と右側板１９とを有するものであり、下面および前面が開口する箱状をなしている。このうち天井板１６には前辺部に位置して該天井板１６とで断面Ｌ字状をなすフランジ部２０が形成され、左側板１８および右側板１９には外周部を囲う角筒状のフランジ部２１が形成されている。
【００１０】
本体枠１５の天井板１６には、左右端部に位置して幕板取付孔２２が形成されている。これら各幕板取付孔２２は、図２の（ａ）に示すように、前端が開放され且つ後端が閉塞されたものであり、前後方向へ真直ぐに延びている。尚、図２の（ａ）の符号Ｗ1 は幕板取付孔２２の左右方向の幅寸法を示している。
【００１１】
各幕板取付孔２２の前端部には案内部２３が形成されている。これら各案内部２３は幕板取付孔２２のうち前方へ向かうに従って左右方向の幅寸法が大きくなるテーパ状部分を称するものであり、各案内部２３の左右方向の幅寸法は後端がＷ1 に設定され、前端がＷ2 （Ｗ2 ＞Ｗ1 ）に設定されている。
【００１２】
各幕板取付孔２２には、天井板１６のフランジ部２０に位置して挿入部２４が連続して形成されている。これら各挿入部２４は幕板取付孔２２のうち矩形孔状に開口する部分を称するものであり、各挿入部２４の左右方向の幅寸法は案内部２３の最大幅寸法と同一のＷ2 に設定されている。
【００１３】
本体枠１５の左側板１８および右側板１９には、図４に示すように、フランジ部２１の上端部に位置して矩形状の切越し片２５が形成されている。これら各切起し片２５は、図１に示すように、上辺部を中心に前方へ切起されたものであり、下方へ向かうに従って前方へ突出する傾斜板状をなしている。
【００１４】
本体枠１５の左側板１８および右側板１９には、図４に示すように、フランジ部２１に位置して仮保持部材としてのピン２６が固定されている。これら各ピン２６は切起し片２５の下方に配置されたものであり、図２の（ｂ）に示すように、円板状の径大部２７および円筒状の径小部２８を有し、本体枠１５の内部からフランジ部２１を通して径小部２８内にねじ２９を締込むことに基づいてフランジ部２１に固定されている。
【００１５】
本体枠１５内には、図４に示すように、ファンケーシング３０が配設されている。このファンケーシング３０は孔状の吸込口３１および通路状の吐出口３２を有するものであり、ファンケーシング３０内にはファン装置（図示せず）が配設されている。尚、ファン装置はファンモータの回転軸にファン（いずれも図示せず）を固定することによって構成されたものである。
【００１６】
本体枠１５の天井板１６には排気口体３３が固定されている。この排気口体３３は、図５に示すように、下方から上方へ向かうに従って縮径する縮管部３４と、縮管部３４の上端に位置する直管部３５とを有するものであり、排気口体３３の内部はファンケーシング３０の吐出口３２を介してファンケーシング３０内に通じている。
【００１７】
排気口体３３の直管部３５には継手３６が接続されており、継手３６には排気ダクト３７の一端部が接続されている。この排気ダクト３７の他端部は室壁１２の貫通孔３８内に挿入されており、排気ダクト３７の他端部には屋外３９に位置してダクトカバー４０が装着されている。このダクトカバー４０は排気ダクト３７の他端部を屋外３９から覆うものであり、ダクトカバー４０にはルーバー４１が設けられている。
【００１８】
図４の幕板４２は横長な長方形状をなすものであり、幕板４２には外周部を囲う角筒状のフランジ部４３が形成されている。このフランジ部４３の下辺部には、図３の（ａ）に示すように、左右端部に位置してバーリング状の雌ねじ部４４が形成されており（一方の雌ねじ部４４のみ図示する）、各雌ねじ部４４内にはねじ部材に相当するねじ４５の本体部４６が途中部位迄螺合されている。
【００１９】
各ねじ４５の本体部４６は本体枠１５の幕板取付孔２２内に挿入され、各幕板取付孔２２の左右縁部はねじ４５の頭部４７と幕板４２のフランジ部４３との間で挟持されている。そして、幕板４２は２本のねじ４５によって本体枠１５の上面に組付けられ、図５に示すように、台所１１の天井壁４８に下方から接触し且つ排気口体３３，継手３６，排気ダクト３７を前方から覆った状態に保持されている。
【００２０】
尚、幕板取付孔２２の幅寸法Ｗ2 はねじ４５の本体部４６の直径寸法および頭部４７の直径寸法より大きく設定されている。また、幕板取付孔２２の幅寸法Ｗ1 はねじ４５の本体部４６の直径寸法より若干大きく且つ頭部４７の直径寸法より小さく設定されている。
【００２１】
図４の前面パネル４９は下面および後面が開口するものであり、前板５０，左側板５１，右側板５２，天井板５３（図１参照）を有している。このうち前板５０には下辺部に位置してフランジ部５４が形成され、左側板５１および右側板５２には後辺部および下辺部を跨ぐＬ字状のフランジ部５５が折曲形成されている。
【００２２】
前面パネル４９の左側板５１および右側板５２には、フランジ部５５に位置して第１の係合孔５６が形成されている。これら各第１の係合孔５６は、図１に示すように、円孔部５７およびこれから下方に連続する長孔部５８を有するだるま形状をなすものであり、各長孔部５８内には、図３の（ｂ）に示すように、ピン２６の径小部２８が嵌合されている。尚、円孔部５７の直径寸法はピン２６の径大部２７の直径寸法および径小部２８の直径寸法より大きく設定され、長孔部５８の左右方向幅寸法は径大部２７の直径寸法より小さく且つ径小部２８の直径寸法に略等しく設定されている。
【００２３】
前面パネル４９の左側板５１および右側板５２には、図４（図１）に示すように、フランジ部５５に位置して第２の係合孔５９が形成されている。これら各第２の係合孔５９は第１の係合孔５６の上方に配置されたものであり、各第２の係合孔５９内には、図３の（ｂ）に示すように、本体枠１５の切起し片２５が挿入されている。
【００２４】
各切起し片２５は上辺部を中心とする後方への回動復帰力によって第２の係合孔５９の下縁部を後方へ押圧しており、各フランジ部５５は切起し片２５の回動復帰力によって本体枠１５のフランジ部２１に密着している。そして、前面パネル４９の上端部はピン２６と第１の係合孔５６との係合力に加え、切起し片２５の回動復帰力によって本体枠１５に保持されている。
【００２５】
前面パネル４９の左側板５１および右側板５２には、図４に示すように、フランジ部５５に位置して貫通孔６０が形成されている。また、本体枠１５の左側板１８および右側板１９にはフランジ部２１に位置してねじ孔６１が形成されている。これら各ねじ孔６１内には、前面パネル４９の内部から貫通孔６０内を通して蝶ねじ（図示せず）が螺合されており、前面パネル４９の下端部は蝶ねじの締結力によって本体枠１５に保持されている。
【００２６】
次に上記レンジフードファンの作用について説明する。本体枠１５内のファン装置が作動すると、台所１１内の空気が本体枠１５の下面および前面パネル４９の下面を通して本体枠１５内に吸上げられ、ファンケーシング３０の吸込口３１から吐出口３２，排気口体３３，排気ダクト３７，ダクトカバー４０を通して屋外３９へ排出される。
【００２７】
次に上記レンジフードファンの組立手順について説明する。本体枠１５を室壁１２に固定した後、図２の（ｂ）に示すように、前面パネル４９の各円孔部５７をピン２６の径大部２７の外周部に挿入する。これと共に、前面パネル４９の各第２の係合孔５９を切起し片２５の外周部に挿入し、前面パネル４９から手を離す。すると、前面パネル４９が自重で下降し、各ピン２６の径小部２８が円孔部５７の内面を下方から支えることに基づいて前面パネル４９を本体枠１５に仮保持する。この状態では、図３の（ａ）に示すように、前面パネル４９の上面（天井板５３の上面）が各挿入部２４の下内面より下降した状態に位置決めされ、各挿入部２４が前方に露出する。
【００２８】
前面パネル４９から手を離したら、幕板４２の各ねじ４５の頭部４７を前方から挿入部２４内に挿入し、幕板４２を後方を押込む。すると、各ねじ４５の本体部４６が幕板取付孔２２の案内部２３によって案内され、幕板取付孔２２内の後端部に挿入される。そして、各ねじ４５の本体部４６が幕板取付孔２２の後方の内面に接触した時点で幕板４２の押込み動作が停止し、幕板４２の前面が本体枠１５のフランジ部２１の前面と面一になる。
【００２９】
幕板４２の各ねじ４５を幕板取付孔２２内に挿入したら、本体枠１５の内部に手を挿入し、各ねじ４５を締込む。すると、各ねじ４５の頭部４７と幕板４２のフランジ部４３との間で幕板取付孔２２の左右縁部が挟持され、幕板４２が天井板１６に組付けられる。
【００３０】
幕板４２を組付けたら、前面パネル４９を上方へスライド操作する。すると、図３の（ｂ）に示すように、前面パネル４９の各長孔部５８内にピン２６の径小部２８が嵌合される。これと共に、前面パネル４９の各第２の係合孔５９の下縁部が切起し片２５によって本体枠１５側へ引付けられる。この後、前面パネル４９の各貫通孔６０内を通して本体枠１５のねじ孔６１内に蝶ねじを締込み、前面パネル４９を本体枠１５に固定する。
【００３１】
上記実施例によれば、前面パネル４９を幕板取付孔２２の前端が開放されるように本体枠１５に仮保持した。このため、幕板４２のねじ４５を前面パネル４９の仮保持状態で幕板取付孔２２内に前端から挿入できるので、幕板４２を逐一取外す必要がなくなる。しかも、本体枠１５の内部を覗き込んで幕板４２のねじ孔を本体枠１５のねじ挿入孔に位置合わせする高所での困難な作業を行う必要がなくなるので、幕板４２の組付作業性が向上する。
【００３２】
また、本体枠１４の切起し片２５を前面パネル４９の第２の係合孔５９の下縁部に係合させ、前面パネル４９を切起し片２５によって本体枠１５側へ引き付けた。このため、前面パネル４９の本体枠１５に対する密着性が高まり、本体枠１５と前面パネル４９との間からの空気の漏れ量が少なくなるので、換気能力が向上する。
【００３３】
また、幕板取付孔２２に幅広な挿入部２４を形成したので、幕板４２のねじ４５を幕板取付孔２２内に挿入し易くなる。しかも、幕板取付孔２２に傾斜状の案内部２３を形成したので、ねじ４５を幕板取付孔２２内の後端部に押込み易くなる。このため、ねじ４５の幕板取付孔２２に対する挿入作業性が高まるので、幕板４２の本体枠１５に対する組付作業性が一層向上する。
【００３４】
尚、上記第１実施例においては、前面パネル４９の上面を挿入部２４の下内面より下降した状態に仮保持したが、これに限定されるものではなく、例えば本発明の第２実施例を示す図６のように、前面パネル４９の上面を挿入部２４の下内面と同一高さに仮保持しても良い。この場合、ねじ４５の頭部４７を前面パネル４９の上面に沿って挿入部２４内に挿入できるので、頭部４７が挿入部２４の下内面に引掛かることが防止される。このため、頭部４７を挿入部２４内に挿入し易くなるので、幕板４２の組付作業性が一層向上する。
【００３５】
また、上記第１および第２実施例においては、前面パネル４９の上面（天井板５３の上面）を水平に形成したが、これに限定されるものではなく、例えば本発明の第３実施例を示す図７のように、前面パネル４９の上面（天井板５３の上面）を本体枠１５から前方へ向かうに従って下降する傾斜面状に形成しても良い。この場合、前面パネル４９の仮保持状態で幕板取付孔２２の挿入部２４を下方から目視することができる。このため、ねじ４５を挿入部２４に容易に位置合せして挿入できるので、幕板４２の組付作業性が一層向上する。
【００３６】
また、上記第１ないし第３実施例においては、本体枠１５内にファンケーシング３０およびファン装置を配設したが、これに限定されるものではなく、例えばファンケーシング３０およびファン装置を廃止しても良い。この場合、排気ダクト３７内に小形な別のファン装置を収納し、本体枠１５の下面および前面パネル４９の下面から排気ダクト３７を通して屋外３９に台所１１内の空気を排出すると良い。
【００３７】
また、上記第１ないし第３実施例においては、前面パネル４９の仮保持状態で幕板４２のねじ４５を締込んだが、これに限定されるものではなく、例えば前面パネル４９の組付後にねじ４５を締込んでも良い。または、幕板４２のフランジ部４３とねじ４５の頭部４７との隙間寸法を本体枠１５の肉厚に予め調節しておき、ねじ４５を幕板取付孔２２内に圧入することに基づいて幕板４２を本体枠１５に固定しても良い。
【００３８】
また、上記第１ないし第３実施例においては、本体枠１５に切起し片２５およびピン２６を設け、前面パネル４９に第１の係合孔５６および第２の係合孔５９を設けたが、これに限定されるものではなく、例えば本体枠１５に第１の係合孔５６および第２の係合孔５９を設け、前面パネル４９に切起し片２５およびピン２６を設けても良い。
【００３９】
【発明の効果】
以上の説明から明らかなように、本発明のレンジフードファンは次の効果を奏する。
請求項１記載の手段によれば、前面パネルを幕板取付孔の前端が開放されるように本体枠に仮保持した。このため、幕板のねじ部材を前面パネルの仮保持状態で幕板取付孔内に前端から挿入できるので、前面パネルを逐一取り外す必要がなくなる上、幕板の本体枠に対する組付作業性が向上する。
請求項２記載の手段によれば、前面パネルの第２の係合孔の下縁部を本体枠の切起し片によって本体枠側へ引付けるようにしたので、前面パネルの本体枠に対する密着性が高まる。
【００４０】
請求項３記載の手段によれば、前面パネルの上面を幕板取付孔の前端下方の内面と略同一高さに仮保持した。このため、幕板のねじ部材を幕板取付孔の前端下方の内面に引掛けることなく幕板取付孔内に挿入できるので、幕板の組付作業性が一層向上する。
請求項４記載の手段によれば、前面パネルの上面を傾斜面状に形成した。このため、前面パネルの仮保持状態で幕板取付孔の前端を目視することができるので、幕板の組付作業性が一層向上する。
【図面の簡単な説明】
【図１】本発明の第１実施例を示す図（本体枠，前面パネル，幕板の要部を分解状態で示す斜視図）
【図２】（ａ）は本体枠および前面パネルの要部を仮保持状態を示す斜視図、（ｂ）はＸ1 −Ｘ1 線に沿う断面図
【図３】（ａ）は本体枠に幕板が装着される様子を図２の（ａ）のＸ2 −Ｘ2 線で破断して示す図、（ｂ）は本体枠に前面パネルおよび幕板が組付けられた状態を図２の（ａ）のＸ1 −Ｘ1 線で破断して示す図
【図４】本体枠，前面パネル，幕板の外観を分解状態で示す斜視図
【図５】レンジフードファンの設置状態を示す図
【図６】本発明の第２実施例を示す図３の（ａ）相当図
【図７】本発明の第３実施例を幕板の除去状態で示す図３の（ａ）相当図
【図８】従来例を示す図４相当図
【符号の説明】
１５は本体枠、１６は天井板（天井部）、２２は幕板取付孔、２５は切起し片、２６はピン（仮保持部材）、４２は幕板、４５はねじ（ねじ部材）、４９は前面パネル、５６は第１の係合孔、５９は第２の係合孔を示す。
【図１】
0003930167.tif 000002
【図２】
0003930167.tif 000003
【図３】
0003930167.tif 000004
【図４】
0003930167.tif 000005
【図５】
0003930167.tif 000006
【図６】
0003930167.tif 000007
【図７】
0003930167.tif 000008
【図８】
0003930167.tif 000009